(57)【要約】【課題】収納容器が荷扱いで欠損せず、容器を収容するとき函起こしが容易で、上蓋体端縁がケース開口縁に引っ掛からず、説明書を入れ易くする。【解決手段】外殻Ｏを形成する第１乃至第４片１１〜１４および内殻Ｉの一部を形成する第５片１５を互いに折り線ａ〜ｄを介して連設し、続いて内殻Ｉを形成する第５乃至第８片１５〜１８を互いに切込み折り線ｗ〜ｙを介して連設し、上記第１乃至第４片１１〜１４の上下縁に上蓋形成フラップ２１〜２４と底蓋形成フラップ３１〜３４を折り線ｅ〜ｈ，ｅ’〜ｈ’を介して連設し、上記第５乃至第８片１５〜１８の上縁中央部には切り抜き部Ｕ１，Ｕ２，Ｖ１，Ｖ２を形成し、各面には内向きのエンボスＥ１〜Ｅ４を形成し、切込み折り線ｗに平行な切込み折り線ｗ’と切込み折り線ｘに平行な折り線ｉとを設け、切込み折り線ｙの上下をＹ字状に二又分岐ｙ’させて切り起こしにした展開形状の台紙１０を外殻Ｏと内殻Ｉとの間に空隙ができるように折畳み組立ててなる。【選択図】図１
2005059957.tif 000002
【特許請求の範囲】
【請求項１】
外殻を形成する第１乃至第４片および内殻の一部を形成する第５片を互いに折り線を介して連設し、続いて内殻を形成する第５乃至第８片を互いに切込み折り線を介して連設し、その第５乃至第８片上縁中央部に切り抜きを形成するとともにエンボスを形成し、上記第１乃至第４片の上縁に上蓋を形成するフラップを、第１乃至第４片の下縁、第５乃至第８片の下縁のいずれかに底蓋を形成するフラップを、折り線を介して連設して展開形状の台紙とし、この台紙を第８片から第１片にむけて折り畳んでなる包装用ケース。
【請求項２】
上記底蓋のフラップを、第１乃至第４片の下縁に連設してなる請求項１に記載の包装用ケース。
【請求項３】
上記底蓋のフラップを、第５乃至第８片の下縁に連設してなる請求項１に記載の包装用ケース。
【請求項４】
上記第５乃至第８片の上縁中央部に形成する切り抜きは、Ｕ字状としてなる請求項１乃至３のいずれかに記載の包装用ケース。
【請求項５】
上記第５乃至第８片の上縁中央部の切り抜きは、Ｕ字状と半円状を交互に形成してなる請求項１乃至３のいずれかに記載の包装用ケース。
【請求項６】
上記内殻の第７・第８片の幅は、それに対応する外殻の第３・第４片の幅より僅かに狭く、第５片と第６片および第７片と第８片の境目に切り起こしを形成してなる請求項１乃至５のいずれかに記載の包装用ケース。
【請求項７】
上記エンボスは、横方向に幅広のものと、この横方向幅広の中央で直交させて上方に貫通させたもの、その両側で上向きに短くしたものとを互いに連続して形成してなる請求項１乃至６のいずれかに記載の包装用ケース。
【請求項８】
上記第５乃至第８片の少なくとも向き合う二片の上縁中央にＶ字状の切り込みを形成し、その両サイドに平行で同一長さのスリットを入れ、そのスリットの下端を結ぶ線上で折り畳んで折り返し片とし、その折り返し片のＶ字状切り込みが、その対辺の縁に届かないようにしてなる請求項１または２に記載の包装用ケース。
【請求項９】
上記第５乃至第８の向き合う二片に、上記折り返し片を形成し、他の向き合う二片の上縁中央にＵ字状の切り込みを形成し、上記Ｕ字状の切り込みを形成した対辺を傾斜切り込み縁としてなる請求項１，２または請求項８のいずれかに記載の包装用ケース。
【請求項１０】
上記折り返し片に、その折り返し片を設けた第５・第７片または第６・第８片に形成したエンボスと重なる反対向きのエンボスを形成した請求項１，２，８または９のいずれかに記載の包装用ケース。
【請求項１１】
上記第５乃至第８片間の折り線をハーフカットとし、上記第５と６，第７と８片間の折り線上に細長い切り抜きを形成し、第５と６片間の細長い切り抜きの下端にＹ字状のハーフカットを形成してなる１，２，８，９または１０のいずれかに記載の包装用ケース。
【発明の詳細な説明】
【技術分野】
【０００１】
この発明は、軟膏あるいは化粧品などの容器を収容するための包装用ケースに関する。
【背景技術】
【０００２】
上蓋付き寸胴形容器（以下、単に容器という）に軟膏等を詰め込んだ商品の包装用ケースとして、容器の四周を包囲する第１・第２・第３・第４片および糊代片とを、それぞれの境目に折り線を設けて連設し、第１・第２・第３・第４片の上下に上蓋と底蓋を形成するフラップを、折り線を介して連設した展開形状の台紙を裁断し、この台紙を折り畳んで糊付けしてケースとしたものが使用されてきた。
【発明の開示】
【発明が解決しようとする課題】
【０００３】
上記従来の包装用ケースを永年使用してきたが、陶器製の容器が衝撃を受けて欠損する。自動化した包装作業において、容器を収容するとき容器に被せられた上蓋体の上端縁が包装用ケースの開口縁に引っかかる。容器に収容された商品の説明書が入れにくい等の問題があることが分かってきた。
【０００４】
上記問題に鑑みこの発明は、包装用ケースに収容された陶器製の容器が荷扱いで生ずる衝撃で欠損しないこと、容器に被せられた蓋の上端縁が包装用ケースの開口縁に引っかからないこと、函起こしが容易で説明書を添えて容器を入れ易くした包装用ケースを提供することを課題とする。
【課題を解決するための手段】
【０００５】
上記課題を解決するためにこの発明は、外殻を形成する第１乃至第４片および内殻の一部を形成する第５片を互いに折り線を介して連設し、続いて内殻を形成する第５乃至第８片を互いに切込み折り線を介して連設し、その第５乃至第８片上縁中央部に切り抜きを形成するとともにエンボスを形成し、上記第１乃至第４片の上縁に上蓋を形成するフラップを、第１乃至第４片、または第５乃至第８片の下縁に底蓋を形成するフラップを、折り線を介して連設して展開形状の台紙とし、この台紙を第８片から第１片にむけて折り畳んでなるもので、上記底蓋のフラップは第１乃至第４片、第５乃至第８片のいずれかの下縁に連設する。
【０００６】
また必要ならば、上記内殻の第７・第８片の幅は、それに対応する外殻の第３・第４片の幅より僅かに狭く、第５片と第６片および第７片と第８片の境目に切り起こしを形成し、上記エンボスは、横方向に幅広のものと、この横方向幅広の中央で直交させて上方に貫通させたもの、その両側で上向きに短くしたものとを互いに連続して形成することもできる。
【０００７】
また、上記第５・第７片または第６・第８片のいずれか一方の上縁中央にＵ字状の切り込みを形成し、他方の上縁中央にＶ字状の切り込みを形成し、その両サイドに平行で同一長さのスリットを入れ、その先端を結ぶラインにハーフカットおよび／またはミシン目を入れて対辺に届かない折り返し片とし、上記Ｕ字状の切り込みを形成した対辺を傾斜切り込み縁とし、上記Ｖ字状切り込みを形成した対辺に逆Ｖ字状切り込みを形成してなるものとすることができ、さらに、上記折り返し片に、その折り返し片を設けた第５・第７片または第６・第８片に形成したエンボスと重なる反対向きのエンボスを形成し、上記第５乃至第８片間の折り線をハーフカットとし、上記第５と６，第７と８片間の折り線上に細長い切り抜きを形成し、第５と６片間の細長い切り抜きの下端にＹ字状のハーフカットを形成すれば一層効果的である。
【発明の効果】
【０００８】
上記の如く構成するこの発明によれば、包装用ケースの構造を二重構造とするとともに内殻を構成する部分にエンボスを形成することにより陶器製の容器が衝撃から保護され、内殻を形成する各片の上縁中央部に切り抜き部を設けることにより蓋体が衝撃から保護され説明書が入れ易くなる。
【０００９】
また、第５と第６片および第７と第８片の境目に切り起こしを形成することにより函起こしが容易になり、また、内殻の各片の下縁に底蓋を形成するフラップを連設したものでは、フラップが誘導面になって包装ラインにおいて説明書を添えながら容器をスムーズに収納できるようになる。
【００１０】
さらに、第５・第７片または第６・第８片のいずれかの上縁に、Ｖ字状の切り込みを形成した折り返し片を形成することにより３層構造となって被包装体が十分保護されるようになり、連続包装工程における包装体の挿入がスムーズに行われる。
【発明を実施するための最良の形態】
【００１１】
次にこの発明の実施の形態を、実施例をもちいて図面を参照しながら説明する。
【実施例１】
【００１２】
次にこの発明の第一実施例を説明する。図１、図２はボール紙を展開形状に裁断した台紙の表面と裏面を示し、外殻Ｏを形成する第１乃至第４片１１，１２，１３，１４および内殻の一部を形成する第５片１５を互いに折り線ａ，ｂ，ｃ，ｄを介して連設し、内殻Ｉを形成する第５乃至第８片１５，１６，１７，１８を互いに切込み折り線ｗ，ｘ，ｙを介して連設するとともに内向きエンボスＥ１，Ｅ２，Ｅ３，Ｅ４を形成し、上記第５・第７片１５，１７の上部に説明書を受容する切込みＵ１，Ｕ２を、上記第６・第８片１６，１８の上部に容器Ｂの蓋体Ｃの縁を受容する切込みＶ１，Ｖ２を形成している。
【００１３】
上記第１片１１の上下には台形のフラップ２１，３１が、第２片１２の上側には差し込み片２２ｂを一体に形成したフラップ２２および下側には低い台形のフラップ３２が、第３片１３の上下には略正方形のフラップ２３，３３が、第４片１４の上側には上記差し込み片２２ｂを受け入れるスリット２４ｂを設けたフラップ２４および下側には台形のフラップ３４が、折り線ｅ，ｅ’，ｆ，ｆ’，ｇ，ｇ’，ｈ，ｈ’を介して連設されている。
【００１４】
上記第７・第８片１７，１８の幅は、上記外殻Ｏを形成する第３，４片１３，１４の幅より僅かに狭くし、第６片１６の幅は上記外殻Ｏを形成する各片の幅とほぼ同一にすると共に第５・第６片１５，１６間の切込み折り線ｗに沿う平行な切込み折り線ｗ’と第６・第７片間の切込み折り線ｘに平行な折り線ｉとを設け、第７・第８片間の切込み折り線ｙ上下をＹ字状に二又分岐ｙ’させて切り起こしにしている。
【００１５】
上記のように裁断した台紙１０の第５片１５のｋの部分と第７片のｌ，ｍ，ｎの部分に接着剤を供給し、第８片から第１片に向けて巻くように折り畳み、フラップ３２，３４，３１，３３の順に折り畳んで底蓋を形成する。
【００１６】
この状態で内殻Ｉの第６片１６は、外殻Ｏの第２片１２と同じ幅であるからボール紙の厚さの２倍だけ幅が広いことになっているが、図３乃至図６に示すように折り線ｉと切込み折り線ｗ’により折れ曲がり、その分が吸収され外殻Ｏの内面に軽く突っ張った状態になり、また、切込み折り線ｙのＹ字状部分ｙ’（切り起こし）が外殻Ｏの内面に接して外殻に対して一定の空隙を維持し強度を保つようになり、函起こしを容易にしている。
【００１７】
また、第６片１６の幅を広くし折り線ｉと切込み折り線ｗ’およびｙ’を設けることによって接着剤を供給された部分が互いに押し付けられて接着効果を上げることとなる。
【００１８】
以上のように組立てられたケースに、蓋を被せた陶器製の寸胴形容器Ｂを納め、切欠きＵの部分に折り畳んだ説明書Ｄを俯きＵ字状にして差し込み、スリット２４ｂ，差込み片２２ｂを有するフラップ２４，２２を折り畳み、さらにフラップ２１，２３を折り畳み、両者を接着して包装は完了する。
【実施例２】
【００１９】
次に第二実施例を、図７を参照しながら説明する。同図は、ボール紙を展開形状に裁断した台紙１０を示し、外殻Ｏを形成する第１乃至第４片１１，１２，１３，１４および内殻の一部を形成する第５片１５を互いに折り線ａ，ｂ，ｃ，ｄを介して連設し、内殻Ｉを形成する第５乃至第８片１５，１６，１７，１８を互いに切込み折り線ｗ，ｘ，ｙを介して連設すると共に、内向きにエンボスＥ１，Ｅ２，Ｅ３，Ｅ４と、上縁中央部にＵ字状の切込みＵ１，Ｕ２，Ｕ３，Ｕ４を形成している。
【００２０】
上記第１片１１の上側には台形のフラップ２１が、第２片１２の上側には差込み片２２ｂを一体に形成したフラップ２２が、第３片１３の上側には、略正方形のフラップ２３が、第４片１４の上側には上記差込み片２２ｂを受け入れるスリット２４ｂを設けたフラップ２４が、折り線ｅ，ｆ，ｇ，ｈを介して連設され、また、上記第５片１５の下側には台形のフラップ３１が、第６片１６の下側には低い台形のフラップ３２が、第７片１７の下側には略正方形のフラップ３３が、第８片１８の下側には低い台形のフラップ３４が、折り線ｅ’，ｆ’，ｇ’，ｈ’を介して連設されている。
【００２１】
上記内殻Ｉを形成する第７、第８片１７，１８の幅は、上記外殻Ｏを形成する第３乃至第４片１３，１４の幅より僅かに狭くし、第５，第６片および第７，第８片間の切込み折り線ｗ，ｙを中間で止めて、その間に切り起こしｚを形成している。
【００２２】
上記エンボスＥ１〜Ｅ４は、横方向に幅広のものと、この横方向幅広の中央で直交させて上方に貫通したものと、その両側で上向きに短くしたものとが連続して形成されている。
【００２３】
上記のように裁断した台紙の第５片の両端ｋ，ｌの部分外面と第８片の両端ｍ，ｎの部分外面に接着剤を供給し、第８片から第１片に向けて巻くように折りたたみ、底蓋形成のフラップ３４，３３，３２，３１および上蓋形成のフラップ２４，２３，２２，２１は折り畳まないで包装工程に供給される。
【００２４】
ここで内殻Ｉの第７，第８片１７，１８の幅は、それと重なる外殻Ｏの第３，第４片の幅より僅かに狭くなっているので外殻Ｏと内殻Ｉとの間に空隙ができ、折り線ｗとｙの中間に形勢された切り起こしｚによって包装工程で行われる函起こしが容易になる。
【００２５】
包装工程では、函起こしをしてスリット２４ｂを有するフラップ２４，差込み片２２ｂを有するフラップ２２とフラップ２１，２３の順で折り畳み、この状態で底の方から折り畳んだ説明書を俯きＵ字状に添えて蓋付き陶器製容器を差し入れる。
【実施例３】
【００２６】
次に第三実施例を、図８を参照しながら説明する。この実施例で第二実施例と相違するところは、上蓋のフラップ２２，２４と底蓋のフラップ３２，３４で、その他は同一であるから相違点についてのみ説明する。
【００２７】
フラップ２２の左縁はフラップ２３の右縁に最小限のギャップをもって接し、フラップ２４の右縁もフラップ２３の左縁に最小限のギャップをもって接している。
【００２８】
また、フラップ３２の左縁はフラップ３３の右縁に最小限のギャップをもって接し、フラップ３４の右縁もフラップ３３の左縁に最小限のギャップをもって接し、それぞれの高さは、第５，第７片１５，１７の幅の二分の一としている。
【００２９】
上記のようにフラップを構成することにより、フラップ２２の左縁とフラップ２４の右縁は製箱したとき第３片１３の内面に接し、また、フラップ３２の左縁とフラップ３４の右縁は製箱したときの第７片１７の内面に接する。さらにフラップ３２，３４の高さを第５，第７片１５，１７の幅の二分の一としているので製箱したとき高さ側の縁が互いに突き当たるので、包装用ケースの変形を防止することができる。
【実施例４】
【００３０】
次に第四実施例を、図９乃至図１２を参照しながら説明する。図９はこの実施例に係る台紙の展開図で、第１乃至第４片１１，１２，１３，１４とその上下に連設されている蓋フラップ２１，２２，２３，２４、底フラップ３１，３２，３３，３４は配置の違いがあるが基本的に同一であるから説明を省略する。
【００３１】
第５乃至第８片１５，１６，１７，１８の上縁は、第５片１５のはじめ部分で傾斜して第１乃至第４片１１，１２，１３，１４の上縁より下がり、第５、第７片１５，１７の上縁中央は、第１乃至第４片１１，１２，１３，１４の上縁と同じレベルでＶ字状の切り込みＶ１が形成され、その両サイドに平行で同一長さのスリットＳが入り、そのスリットＳの下端を結ぶライン上でミシン目を含むハーフカットＨが施されて折り返し片２５となっている。なお、上記ミシン目を含むハーフカットをせずに折り畳んでも良い。
【００３２】
上記折り返し片２５の中心にはエンボスＥ５が形成され、このエンボスＥ５は、折り返し片２５が折り返されたとき第５片１５と第７片１７の中心に設けられたエンボスＥ６とが互いに窪み面が向き合い重なるようになっている。
【００３３】
第６片１６と第８片１８の上縁には、Ｕ字状の切り込みＵ１，Ｕ２が形成され、その下に２個の横長のエンボス２個のＥ７と、その間に四角のエンボスＥ８が形成されている。なお、このエンボスの形状は適宜変えることができる。
【００３４】
第５片乃至第８片１５，１６，１７，１８の下縁は、第１乃至第４片１１，１２，１３，１４の下縁より、第５片１５のはじめの傾斜を経て上にあり、第５片１５と第７片１７の下縁には逆Ｖ字状の切り込みＶ２が形成され、この切り込みＶ２の上方に折り返し片２５のＶ字状の切り込みＶ１が位置するようになっている。また、第６片１６と第８片１８の下縁は、傾斜下縁Ｖ３になっている。
【００３５】
これは、上記切り込みＶ２のように左右同一の角度にしていたのでは、図１２に示すように自動機で容器とケースとを供給しながらケース内に容器を送り込む際、説明書Ｄが決まったように反時計方向に回るという現象が起き、これを阻止して正常な位置に説明書が止まるように工夫した結果のものである。
【００３６】
第５片１５・第６片１６間の折り線ｗ上と、第７片１７・第８片１８間の折り線ｙ上には細長い孔２６ａ，２６ｂが設けられ、第５片１５・第６片１６間の細長い孔２６ａの下にはＹ字状のハーフカットＹが施されている。
【００３７】
上記説明の展開形状に裁断した台紙を第８片１８から第１片に向けて、折り線ｙ〜ａに従って巻くように折り畳み、接着糊ｐにより要所を接着し、次いで折り返し片２５を１８０度折り返して接着糊ｑにより接着して（図１０，１１参照）箱起こしが完了する。
【００３８】
この状態で第５片、第７片１５，１７の下縁のＶ字状の切り込みＶ２と折り返し片２５のＶ字状の切り込みＶ１とは少しずつ前後にずれている（図１１参照）ので、筒状容器Ｂをコンベヤー方式で連続包装するとき、上記Ｖ形に切り込まれた縁に沿って筒状容器Ｂが浮き上がりスムーズに箱内に滑り込む（図１１，１２参照）こととなる。
【００３９】
また、細長い切り抜き孔２６ａ，２６ｂは、箱起こしを容易にするためのものであり、Ｙ字状のハーフカットＹと合わせて外殻Ｏの内側に内殻Ｉがスムーズに納まるようにするためのものである。
【００４０】
特にこの実施例では、折り返し片２５を折り返すことにより外殻Ｏと内殻Ｉ、それに折り返し片２５により３層構造となり、さらにエンボスＥ５，Ｅ６が重なり合うことにより容器が完全に保護される。
【実施例５】
【００４１】
図１３および図１４に示す第五実施例は、第５片１５乃至第８片１８の全てに折り返し片２５を設けている。従って、この実施例では全ての側壁が３層構造になって、容器Ｂの保護効果が高まることとなる。
【産業上の利用可能性】
【００４２】
以上説明した通りこの発明によって、陶器製の容器が衝撃から保護され、説明書が入れ易くなり、容器をケースに収めるとき蓋体の縁が引っかかることがなくなり、外殻内に内殻が適当な空隙をもってホールドされ、包装工程での函起こしが容易になるなどの効果が得られる。また、第三実施形態では外力による変形を防止することができる。
【図面の簡単な説明】
【００４３】
【図１】第一実施例の表面展開図
【図２】同裏面展開図
【図３】同製箱過程の斜視図
【図４】同水平断面図
【図５】同製箱後の斜視図
【図６】包装用ケースに説明書と共に容器を収納する説明図
【図７】第二実施例の表面展開図
【図８】第三実施例の表面展開図
【図９】第四実施例の展開図（裏面）
【図１０】同箱起こし説明図
【図１１】切り込みＶ１とＶ２との位置関係説明図
【図１２】筒状容器の包装工程説明図
【図１３】第五実施例の展開図（その１）
【図１４】第五実施例の展開図（その２）
【符号の説明】
【００４４】
１０  台紙
１１  第１片
１２  第２片
１３  第３片
１４  第４片
１５  第５片
１６  第６片
１７  第７片
１８  第８片
２２ｂ  差し込み片
２４ｂ  スリット
２５  折り返し片
２６ａ，２６ｂ  細長い孔
２１，２２，２３，２４  上蓋形成フラップ
３１，３２，３３，３４  底蓋形成フラップ
ａ，ｂ，ｃ，ｄ，ｅ，ｆ，ｇ，ｈ，ｅ’，ｆ’，ｇ’，ｈ’，ｉ  折り線
ｋ，ｌ，ｍ，ｎ  接着剤
ｐ，ｑ  接着糊
ｗ，ｘ，ｙ，ｗ’  切込み折り線
ｙ’  二又分岐の切り起こし
ｚ  切り起こし
Ｂ  容器
Ｃ  蓋体
Ｄ  説明書
Ｅ１，Ｅ２，Ｅ３，Ｅ４，Ｅ５，Ｅ６，Ｅ７，Ｅ８  エンボス
Ｈ  ハーフカット
Ｉ  内殻
Ｏ  外殻
Ｓ  スリット
Ｕ１，Ｕ２  Ｕ字状切り込み
Ｖ，Ｖ１，Ｖ２  切り込み（Ｖ字状の）
Ｖ３  傾斜下縁
Ｙ  Ｙ字状ハーフカット
【図１】
2005059957.tif 000003
【図２】
2005059957.tif 000004
【図３】
2005059957.tif 000005
【図４】
2005059957.tif 000006
【図５】
2005059957.tif 000007
【図６】
2005059957.tif 000008
【図７】
2005059957.tif 000009
【図８】
2005059957.tif 000010
【図９】
2005059957.tif 000011
【図１０】
2005059957.tif 000012
【図１１】
2005059957.tif 000013
【図１２】
2005059957.tif 000014
【図１３】
2005059957.tif 000015
【図１４】
2005059957.tif 000016